【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
印刷手段より所定距離だけ上流側に搬送手段が位置する印刷装置に装填され、前記搬送手段によって搬送されるとともに、前記印刷手段によって画像が印刷される所定サイズの印刷シートを搬送するために使用されるシート状の印刷補助部材であって、
前記印刷シートとの接着及び剥離が可能な接着剤層を有し、該接着剤層を介して、前記印刷装置に装填される前記印刷シートのシート搬送方向の後端側で、その印刷シートの印刷面とは反対側の面に重ねて接着される接続部と、
前記接続部に続けて設けられ、シート搬送方向に沿った長さが、前記印刷手段と前記搬送手段の間の前記所定距離より大きく形成されている搬送補助部と、
を備えることを特徴とする印刷シートの印刷補助部材。
【請求項２】
印刷手段より所定距離だけ下流側に搬送手段が位置する印刷装置に装填され、前記搬送手段によって搬送されるとともに、前記印刷手段によって画像が印刷される所定サイズの印刷シートを搬送するために使用されるシート状の印刷補助部材であって、
前記印刷シートとの接着及び剥離が可能な接着剤層を有し、その接着剤層を介して、前記印刷装置に装填される前記印刷シートのシート搬送方向の前端側で、その印刷シートの印刷面とは反対側の面に重ねて接着される接続部と、
前記接続部に続けて設けられ、シート搬送方向に沿った長さが、前記印刷手段と前記搬送手段の間の前記所定距離より大きく形成されている搬送補助部と、
を備えることを特徴とする印刷シートの印刷補助部材。
【請求項３】
前記接続部部分での接着剤層の接着力は、前記印刷シートの印刷装置内での搬送抵抗力より大きいことを特徴とする請求項１又は２に記載の印刷シートの印刷補助部材。
【請求項４】
前記接続部部分での接着剤層の接着力は、前記印刷シートの印刷装置内での搬送抵抗力よりも１０ないし３０％大きいことを特徴とする請求項３に記載の印刷シートの印刷補助部材。
【請求項５】
前記接続部と前記搬送補助部との境界部分に前記印刷シートのシート搬送方向の端部を位置合せするための指標を備えることを特徴とする請求項１ないし４のいずれかに記載の印刷シートの印刷補助部材。
【請求項６】
前記搬送補助部には、印刷シートの取扱に関する情報が表記されていることを特徴とする請求項１ないし５のいずれかに記載の印刷シートの印刷補助部材。
【請求項７】
前記情報は、印刷シートの印刷面又は印刷面の反対面を表す情報であることを特徴とする請求項６に記載の印刷シートの印刷補助部材。
【請求項８】
前記情報は、印刷装置への印刷シートの装填方向を表す情報であることを特徴とする請求項６記載の印刷シートの印刷補助部材。
【手続補正２】
【補正対象書類名】明細書
【補正対象項目名】００１０
【補正方法】変更
【補正の内容】
【００１０】
請求項１の発明は、印刷手段より所定距離だけ上流側に搬送手段が位置する印刷装置に装填され、前記搬送手段によって搬送されるとともに、前記印刷手段によって画像が印刷される所定サイズの印刷シートを搬送するために使用されるシート状の印刷補助部材であって、前記印刷シートとの接着及び剥離が可能な接着剤層を有し、該接着剤層を介して、前記印刷装置に装填される前記印刷シートのシート搬送方向の後端側で、その印刷シートの印刷面とは反対側の面に重ねて接着される接続部と、前記接続部に続けて設けられ、シート搬送方向に沿った長さが、前記印刷手段と前記搬送手段の間の前記所定距離より大きく形成されている搬送補助部とを備えることを特徴としている。
【手続補正３】
【補正対象書類名】明細書
【補正対象項目名】００１１
【補正方法】変更
【補正の内容】
【００１１】
請求項２の発明は、印刷手段より所定距離だけ下流側に搬送手段が位置する印刷装置に装填され、前記搬送手段によって搬送されるとともに、前記印刷手段によって画像が印刷される所定サイズの印刷シートを搬送するために使用されるシート状の印刷補助部材であって、前記印刷シートとの接着及び剥離が可能な接着剤層を有し、その接着剤層を介して、前記印刷装置に装填される前記印刷シートのシート搬送方向の前端側で、その印刷シートの印刷面とは反対側の面に重ねて接着される接続部と、前記接続部に続けて設けられ、シート搬送方向に沿った長さが、前記印刷手段と前記搬送手段の間の前記所定距離より大きく形成されている搬送補助部とを備えることを特徴としている。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項３の発明は、前記接続部部分での接着剤層の接着力が、前記印刷シートの印刷装置内での搬送抵抗力より大きいことを特徴としている。
【手続補正６】
【補正対象書類名】明細書
【補正対象項目名】００１４
【補正方法】変更
【補正の内容】
【００１４】
請求項４の発明は、前記接続部部分での接着剤層の接着力が、前記印刷シートの印刷装置内での搬送抵抗力よりも１０ないし３０％大きいことを特徴としている。
【手続補正７】
【補正対象書類名】明細書
【補正対象項目名】００１５
【補正方法】変更
【補正の内容】
【００１５】
請求項５の発明は、前記接続部と前記搬送補助部との境界部分に前記印刷シートのシート搬送方向の端部を位置合せするための指標を備えることを特徴としている。
【手続補正８】
【補正対象書類名】明細書
【補正対象項目名】００１６
【補正方法】変更
【補正の内容】
【００１６】
請求項６の発明は、前記搬送補助部に、印刷シートの取扱に関する情報が表記されていることを特徴としている。
【手続補正９】
【補正対象書類名】明細書
【補正対象項目名】００１７
【補正方法】変更
【補正の内容】
【００１７】
請求項７の発明は、前記情報が、印刷シートの印刷面又は印刷面の反対面を表す情報であることを特徴としている。
【手続補正１０】
【補正対象書類名】明細書
【補正対象項目名】００１８
【補正方法】変更
【補正の内容】
【００１８】
請求項８の発明は、前記情報が、印刷装置への印刷シートの装填方向を表す情報であることを特徴としている。
【手続補正１１】
【補正対象書類名】明細書
【補正対象項目名】００１９
【補正方法】変更
【補正の内容】
【００１９】
請求項１及び２の発明によれば、単に所定サイズの印刷シートの端部にシート状の印刷補助部材を貼り付けて印刷装置に装填するだけで縁無しの画像を印刷できる等、印刷シートの全面にわたって印刷を行うことが可能になり、このため従来のように、基材上に印刷シートの全面をはめ込む凹部を形成するものに比べ、形状や厚さを小さくして簡単な構造とすることができ、また凹部内にはめ込む場合に比べ、その接着及び剥離の作業を容易に能率よく行なうことができる。
【手続補正１２】
【補正対象書類名】明細書
【補正対象項目名】００２０
【補正方法】変更
【補正の内容】
【００２０】
更に、請求項３及び４の発明によれば、印刷シートの搬送中に不用意に印刷補助部材が剥がれるような不都合を防止して印刷補助部材付きの印刷シートを常時適正に搬送することができる。そして、特に、請求項３の発明によれば、印刷シートとの接着力が適切な値の範囲に設定されるため、接着力が弱すぎて印刷装置での搬送途中で接着部分が外れてしまったり、逆に接着力が強力すぎて剥離するときに印刷シートを傷めてしまうようなことはない。
【手続補正１３】
【補正対象書類名】明細書
【補正対象項目名】００２１
【補正方法】変更
【補正の内容】
【００２１】
請求項５の発明によれば、印刷シートに印刷補助部材を取り付ける際に、その印刷補助部材を指標に基づいて所定の位置に配置させることができ、この指標を基準にした印刷シートと印刷補助部材との接合により、印刷補助部材の接続部で所定の接着力が得られるとともに、搬送補助部においても印刷シートの全面印刷を行うための搬送補助機能を発揮することができる。
【手続補正１４】
【補正対象書類名】明細書
【補正対象項目名】００２２
【補正方法】変更
【補正の内容】
【００２２】
請求項６ないし８の発明によれば、印刷シートの取扱に関する情報を搬送補助部の表記に基づいて容易に得ることができる。すなわち、印刷シートの印刷面又はその反対面を表す情報表記に基づいて印刷補助部材の接続部に接着する側の印刷シートのシート面の方向を取り違えることを防止し、また印刷装置への印刷シートの装填方向の情報の表記に基づいて印刷シートの装填ミスを防止することができ、適切に印刷シートを取り扱うことができる。